(57)【要約】【課題】従来の表示システムをそのまま用いて埋め込み情報を伝達可能な通信システムを提供する。【解決手段】複数のレベル信号ＬＶ１〜ＬＶ１４が動画を構成する複数のフレームＦＲＭ１〜ＦＲＭ１４にそれぞれ埋め込まれる。そして、複数のフレームＦＲＭ１〜ＦＲＭ１４の各々は、同じ内容の画像を表示する。表示装置２０は、管理サーバ３０から受けた複数のフレームＦＲＭ１〜ＦＲＭ１４を連続的に表示し、端末装置１０は、その連続的に表示された複数のフレームＦＲＭ１〜ＦＲＭ１４を撮影する。その結果、端末装置１０は、撮影した複数のフレームＦＲＭ１〜ＦＲＭ１４に埋め込まれた複数のレベル信号ＬＶ１〜ＬＶ１４を取得する。【選択図】図１
2009164856.tif 000002
【特許請求の範囲】
【請求項１】
複数のフレームからなる動画を表示する表示装置と、
前記表示装置に表示された動画を撮影する端末装置とを備え、
前記複数のフレームは、
同じ内容の画像を表示するための複数の画像データと、
前記複数の画像データに重畳され、ビット情報を表す複数の照度信号とを含む、通信システム置。
【請求項２】
前記複数の照度信号は、照度レベルを変えることによって前記ビット情報を表す、請求項１に記載の通信システム。
【請求項３】
前記複数の照度信号の各々は、１つの画像データを構成する複数の画素データの各々に重畳される、請求項２に記載の通信システム。
【請求項４】
前記複数の画像データにおいて、対応する画素位置の画素データに重畳された複数の照度信号は、前記対応する画素位置に関連する情報識別子を表す、請求項３に記載の通信システム。
【請求項５】
前記端末装置は、前記表示装置上に配置され、自己が配置された位置で撮影した動画に含まれる複数の照度信号を検出して自己が配置された位置に関連する情報識別子を取得する、請求項４に記載の通信システム。
【請求項６】
前記複数のフレームを保持するとともに、前記複数のフレームからなる動画を前記表示装置に表示する管理サーバをさらに備え、
前記端末装置は、自己に対して成された操作を識別するための操作識別子と、自己を識別するための端末識別子と、前記情報識別子とからなるメッセージを無線ネットワークを介して前記管理サーバへ送信し、
前記管理サーバは、前記メッセージの受信に応じて、前記端末装置に対して成された操作の応答結果を前記表示装置または前記端末装置に表示する、請求項５に記載の通信システム。
【請求項７】
前記管理サーバは、前記複数のフレームからなる動画の表示の際に、１つのフレームの表示が開始されてから指定された時間が経過し、かつ、当該フレームの表示が完了しているときに、次のフレームの表示を開始することによって前記複数のフレームの全てからなる動画を前記表示装置に表示する、請求項６に記載の通信システム。
【請求項８】
前記管理サーバは、前記受信したメッセージに含まれる前記操作識別子、前記情報識別子および前記端末識別子の組合せに応じて、前記表示装置の表示内容を更新し、または前記端末装置に表示するための情報を前記端末装置へ送信する、請求項６または請求項７に記載の通信システム。
【発明の詳細な説明】
【技術分野】
【０００１】
この発明は、通信システムに関し、特に、ユーザの端末装置に情報を伝達する通信システムに関するものである。
【背景技術】
【０００２】
近年、日常的な照明の中に情報を埋め込むことで、生活シーンに溶け込みつつも、高出力でも人体に安全で広帯域の情報伝達を行なうことができる可視光通信が注目されている（非特許文献１）。
【０００３】
この可視光通信は、ＤＭＤ（Ｄｉｇｉｔａｌ  Ｍｉｃｒｏｍｉｒｒｏｒ  Ｄｅｖｉｃｅ）を用いて、情報を映像画像に埋め込むものである。より具体的には、６０Ｈｚ以上の周波数でオン／オフ情報を画像の各画素に埋め込む。そして、このオン／オフ情報は、埋め込まれた画素の位置情報を表す。また、オン／オフ情報が６０Ｈｚ以上の周波数で埋め込まれるのは、視覚的なちらつき（フリッカ）が問題にならないようにするためである。
【非特許文献１】北村  匡彦、苗村  健、「ＤＭＤを用いた空間分割型可視光通信の基礎検討」，ＦＩＴ２００６（第５回情報科学技術フォーラム），ｐ２９３−ｐ２９５．
【発明の開示】
【発明が解決しようとする課題】
【０００４】
しかし、従来の可視光通信においては、オン／オフ情報を６０Ｈｚ以上の高周波数で画像に埋め込む必要があり、高周波数の光を検出可能なフォトセンサを受信側に設ける必要があった。そのため、情報の送信側および受信側の両方に、埋め込み情報に対応したデバイスを設ける必要があり、従来の表示システムをそのまま用いて埋め込み情報を伝達することが困難であった。
【０００５】
そこで、この発明は、かかる問題を解決するためになされたものであり、その目的は、従来の表示システムをそのまま用いて埋め込み情報を伝達可能な通信システムを提供することである。
【課題を解決するための手段】
【０００６】
この発明によれば、通信システムは、表示装置と、端末装置とを備える。表示装置は、複数のフレームからなる動画を表示する。端末装置は、表示装置に表示された動画を撮影する。複数のフレームは、同じ内容の画像を表示するための複数の画像データと、複数の画像データに重畳され、ビット情報を表す複数の照度信号とを含む。
【０００７】
好ましくは、複数の照度信号は、照度レベルを変えることによってビット情報を表す。
【０００８】
好ましくは、複数の照度信号の各々は、１つの画像データを構成する複数の画素データの各々に重畳される。
【０００９】
好ましくは、複数の画像データにおいて、対応する画素位置の画素データに重畳された複数の照度信号は、対応する画素位置に関連する情報識別子を表す。
【００１０】
好ましくは、端末装置は、表示装置上に配置され、自己が配置された位置で撮影した動画に含まれる複数の照度信号を検出して自己が配置された位置に関連する情報識別子を取得する。
【００１１】
好ましくは、通信システムは、管理サーバをさらに備える。管理サーバは、複数のフレームを保持するとともに、複数のフレームからなる動画を表示装置に表示する。端末装置は、自己に対して成された操作を識別するための操作識別子と、自己を識別するための端末識別子と、情報識別子とからなるメッセージを無線ネットワークを介して管理サーバへ送信する。管理サーバは、メッセージの受信に応じて、端末装置に対して成された操作の応答結果を表示装置または端末装置に表示する。
【００１２】
好ましくは、管理サーバは、複数のフレームからなる動画の表示の際に、１つのフレームの表示が開始されてから指定された時間が経過し、かつ、当該フレームの表示が完了しているときに、次のフレームの表示を開始することによって複数のフレームの全てからなる動画を表示装置に表示する。
【００１３】
好ましくは、管理サーバは、受信したメッセージに含まれる操作識別子、情報識別子および端末識別子の組合せに応じて、表示装置の表示内容を更新し、または端末装置に表示するための情報を端末装置へ送信する。
【発明の効果】
【００１４】
この発明においては、照度信号が動画を構成する複数のフレームの各々に埋め込まれる。そして、複数のフレームの各々は、同じ内容の画像を表示し、表示装置は、複数のフレームを連続的に表示し、端末装置は、その連続的に表示された複数のフレームを撮影する。その結果、端末装置は、撮影した複数のフレームに埋め込まれた複数の照度信号を取得する。
【００１５】
したがって、この発明によれば、従来の表示システムをそのまま用いて埋め込み情報を端末装置へ伝達できる。
【発明を実施するための最良の形態】
【００１６】
本発明の実施の形態について図面を参照しながら詳細に説明する。なお、図中同一または相当部分には同一符号を付してその説明は繰返さない。
【００１７】
図１は、この発明の実施の形態による通信システムの構成を示す概略図である。図１を参照して、この発明の実施の形態による通信システム１００は、端末装置１０と、表示装置２０と、管理サーバ３０と、基地局４０とを備える。
【００１８】
端末装置１０は、表示装置２０上に配置され、その配置された位置で表示装置２０に表示された動画を撮影する。そして、端末装置１０は、その撮影した動画に基づいて、後述する方法によって、自己が配置された位置に関連する情報ＩＤを検出する。
【００１９】
また、端末装置１０は、ユーザの自己に対する操作を検出し、その検出した操作を識別するための操作ＩＤを生成する。そして、端末装置１０は、情報ＩＤと、操作ＩＤと、自己を識別するための端末ＩＤとからなるメッセージＭＳＧを作成し、その作成したメッセージＭＳＧを無線ネットワークを介して管理サーバ３０へ送信する。
【００２０】
さらに、端末装置１０は、情報を無線ネットワークを介して管理サーバ３０から受信すると、その受信した情報を表示する。
【００２１】
表示装置２０は、液晶ディスプレイ、液晶プロジェクタおよびプラズマディスプレイ等からなる。そして、表示装置２０は、管理サーバ３０からケーブル４１を介して画像データを受信すると、その受信した画像データを表示する。
【００２２】
管理サーバ３０は、各画素に情報ＩＤが埋め込まれた複数のフレームをケーブル４１を介して表示装置２０へ送信する。
【００２３】
また、管理サーバ３０は、基地局４０からケーブル４２を介してメッセージＭＳＧを受信し、その受信したメッセージＭＳＧに含まれる端末ＩＤ、情報ＩＤおよび操作ＩＤの組合せに応じて、表示装置２０の表示内容を更新し、または端末装置１０に表示すべき情報を無線ネットワークを介して端末装置１０へ送信する。
【００２４】
基地局４０は、無線ネットワークを介して端末装置１０からメッセージＭＳＧを受信し、その受信したメッセージＭＳＧをケーブル４２を介して管理サーバ３０へ送信する。
【００２５】
また、基地局４０は、ケーブル４２を介して管理サーバ３０から情報を受信すると、その受信した情報を無線ネットワークを介して端末装置１０へ送信する。
【００２６】
図２は、図１に示す端末信装置１０の構成を示す概略ブロック図である。図２を参照して、端末装置１０は、撮影部１１と、加速度センサ１２と、操作部１３と、制御部１４と、通信部１５と、表示部１６とを含む。
【００２７】
撮影部１１は、端末装置１０が配置された位置において、表示装置２０に表示された動画を撮影し、その撮影した動画を制御部１４へ出力する。加速度センサ１２は、加速度αを計測し、その計測した加速度αを制御部１４へ出力する。
【００２８】
操作部１３は、文字入力キー等からなり、ユーザがキーを押す等のユーザの端末装置１０に対する何らかの操作を検出し、その検出した操作を制御部１４へ出力する。
【００２９】
制御部１４は、撮影部１１から動画を受け、加速度センサ１２から加速度αを受け、操作部１３から操作を受ける。そして、制御部１４は、動画に埋め込まれた情報を、端末装置１０が配置された表示装置２０上の位置に関連する情報ＩＤとして検出する。
【００３０】
また、制御部１４は、加速度センサ１２から受けた加速度αに基づいて、端末装置１０が移動したか否かを判定する。そして、制御部１４は、端末装置１０が移動したと判定したとき、端末装置１０を移動させる操作が端末装置１０に対して成されたことを示す操作ＩＤを生成する。
【００３１】
さらに、制御部１４は、操作部１３から受けた操作に基づいて、端末装置１０に対して成された操作を識別するための操作ＩＤを生成する。たとえば、操作部１３が、文字入力キーが押されたことを検出した場合、制御部１４は、文字入力キーが押されたことを示す操作ＩＤを生成する。
【００３２】
さらに、制御部１４は、情報ＩＤと、操作ＩＤと、端末装置１０を識別するための端末ＩＤとからなるメッセージＭＳＧを作成し、その作成したメッセージＭＳＧを通信部１５を介して管理サーバ３０へ送信する。
【００３３】
さらに、制御部１４は、通信部１５を介して管理サーバ３０から情報を受信すると、その受信した情報を表示部１６に表示する。
【００３４】
通信部１５は、制御部１４から受けたメッセージＭＳＧを無線ネットワークを介して基地局４０へ送信する。また、通信部１５は、無線ネットワークを介して基地局４０から情報を受信し、その受信した情報を制御部１４へ出力する。
【００３５】
表示部１６は、制御部１４から受けた情報を表示する。
【００３６】
図３は、図１に示す管理サーバ３０の構成を示す概略ブロック図である。図３を参照して、管理サーバ３０は、通信部３１と、制御部３２と、記憶部３３とを含む。通信部３１は、制御部３２から表示装置２０宛ての画像データを受けると、その受けた画像データをケーブル４１を介して表示装置２０へ送信する。
【００３７】
また、通信部３１は、ケーブル４２を介して基地局４０からメッセージＭＳＧを受信すると、その受信したメッセージＭＳＧを制御部３２へ出力する。
【００３８】
さらに、通信部３１は、端末装置１０宛ての情報を制御３２から受けると、その受けた情報をケーブル４２を介して基地局４０へ送信する。
【００３９】
制御部３２は、通信部３１からメッセージＭＳＧを受けると、その受けたメッセージＭＳＧに含まれる端末ＩＤ、情報ＩＤおよび操作ＩＤを検出する。そして、制御部３２は、端末ＩＤ、情報ＩＤおよび操作ＩＤの組合せに応じて、新たな動画を構成する画像データを記憶部３３から取り出し、その取り出した画像データを通信部３１を介して表示装置２０へ送信する。
【００４０】
また、制御部３２は、端末ＩＤ、情報ＩＤおよび操作ＩＤの組合せに応じて、端末措置１０に表示すべき情報を記憶部３３から取り出し、その取り出した情報を通信部３１を介して端末装置１０へ送信する。
【００４１】
記憶部３３は、端末ＩＤ、情報ＩＤおよび操作ＩＤの組合せに応じて、各種の動画を構成する画像データまたは情報を記憶する。そして、この画像データの各画素データには、情報ＩＤが後述する方法によって重畳されている。
【００４２】
端末装置１０の制御部１４における情報ＩＤの検出方法について説明する。図４は、撮影部１１における受光画素を示す平面図である。図４を参照して、撮影部１１は、４×４に配置された１６個の受光画素ｃ０〜ｃＦを有する。
【００４３】
図５は、表示装置２０によって表示された画像の１つの画素を示す平面図である。図５を参照して、１つの画素ＰＵは、（ｑ＋１）×（ｒ＋１）に配置された複数の画素ブロックｐ００〜ｐｑｒからなる。そして、１つの画素ＰＵは、情報ＩＤが埋め込まれた複数のブロックＢ００，Ｂ０４，Ｂ４０，Ｂ４４，・・・を含む。
【００４４】
複数のブロックＢ００，Ｂ０４，Ｂ４０，Ｂ４４，・・・の各々は、２×２に配置された４個の画素ブロックからなる。そして、複数のブロックＢ００，Ｂ０４，Ｂ４０，Ｂ４４，・・・は、市松模様に配置される。
【００４５】
図６は、図４に示す各受光画素ｃ０〜ｃＦにおける受光レベルの遷移を示す図である。図６を参照して、受光画素ｃ０〜ｃＦは、受光レベルがそれぞれパターンＰＴＭ１−１〜ＰＴＭ１−１６で変化する光信号を受光する。そして、パターンＰＴＭ１−１〜ＰＴＭ１−１６は、１つの画素に埋め込まれた情報ＩＤを表す情報ＩＤパターンＰＴＭ１を構成する。
【００４６】
また、各パターンＰＴＭ１−１〜ＰＴＭ１−１６の各々は、１４個のレベル信号からなる。たとえば、パラーンＰＴＭ１−１は、レベル信号ＬＶ１〜ＬＶ１４からなる。パターンＰＴＭ１−２〜パターンＰＴＭ１−１６の各々も、レベル信号ＬＶ１〜ＬＶ１４からなる。但し、パターンＰＴＭ１−１〜パターンＰＴＭ１−１６の各々を構成する１４個のレベル信号ＬＶ１〜ＬＶ１４の配列は、パターンＰＴＭ１−１〜パターンＰＴＭ１−１６間で相互に異なる。
【００４７】
図５に示す複数のブロックＢ００，Ｂ０４，Ｂ４０，Ｂ４４，・・・の各々は、上述したように、４個の画素ブロックからなるので、１つのブロックに含まれる４個の画素ブロックは、１つの位置情報パターンＰＴＭ１を構成する１６個のパターンＰＴＭ１−１〜ＰＴＭ１−１６のうちの４個のパターンからなる光信号が重畳されている。
【００４８】
また、情報ＩＤパターンＰＴＭ１は、１つの画素の位置に関連する情報のＩＤを表すので、他の画素の位置に関連する情報のＩＤを表す情報ＩＤパターンＰＴＭ２は、情報ＩＤパターンＰＴＭ１を構成する１６個のパターンＰＴＭ１−１〜ＰＴＭ１−１６と異なる１６個のパターンＰＴＭ２−１〜ＰＴＭ２−１６からなる。
【００４９】
なお、レベル信号ＬＶ１〜ＬＶ１４は、照度レベルを変えることによってビット情報を表す信号である。
【００５０】
図７は、１つの画素と受光画素との関係を示す平面図である。図７を参照して、１つの画素ＰＵは、情報ＩＤが埋め込まれた５個のブロックＢ１〜Ｂ５を含む。そして、ブロックＢ１〜Ｂ５の各々は、情報ＩＤパターンＰＴＭ１を構成する１６個のパターンＰＴＭ１−１〜ＰＴＭ１−１６のうちの４個のパターンからなる光信号が重畳されている。
【００５１】
また、受光画素ｃ０〜ｃＦが、ブロックＢ１〜Ｂ３の少なくとも一部に重なるように配置されたとする。より具体的には、ブロックＢ１は、受光画素ｃ０〜ｃＦのうち、受光画素ｃＡ，ｃＢ，ｃＥ，ｃＦに重なり、ブロックＢ２の一部は、受光画素ｃ０〜ｃＦのうち、受光画素ｃ２に重なり、ブロックＢ３の一部は、受光画素ｃ８，ｃＣに重なる。
【００５２】
その結果、撮影部１１の受光画素ｃＡ，ｃＢ，ｃＥ，ｃＦ，ｃ２，ｃ８，ｃＣは、画素ＰＵの情報ＩＤパターンＰＴＭ１を構成する１６個のパターンＰＴＭ１−１〜ＰＴＭ１−１６のうちの７個のパターンを受光する。
【００５３】
受光画素によって受光された受光パターンは、その強さを予め設定された閾値を元に、“０”および“１”のいずれかの値で表現されるビット情報として認識される。端末装置１０は、そのビット情報を解析して情報ＩＤを認識する。ビット情報による情報ＩＤの表現には、たとえば、プリアンブルを利用する場合と、プリアンブルのない繰り返しの受光パターンだけを利用する場合とがある。
【００５４】
情報ＩＤがプリアンブルを利用したビット情報により表現されている場合は、端末装置１０は、ビット情報中のプリアンブルを認識して後続するビット情報をそのまま２進数で表現された情報ＩＤとして認識する。
【００５５】
一方、情報ＩＤが繰り返しの受光パターンだけを利用したビット情報により表現されている場合、端末装置１０は、予め準備された受光パターンと情報ＩＤとを対応付けたテーブルを参照することで情報ＩＤを認識する。
【００５６】
図８は、受光パターンと情報ＩＤとの関係を示す関係テーブルの概念図である。図８を参照して、関係テーブルＲＬＴは、受光パターンと情報ＩＤとからなる。受光パターンおよび情報ＩＤは、相互に対応付けられる。
【００５７】
受光パターンは、ＰＴＭ１〜ＰＴＭｎ（ｎは、２以上の整数）からなり、情報ＩＤは、ＩＦＩＤ１，ＩＦＩＤ２，ＩＦＩＤ３，ＩＦＩＤ４，・・・，ＩＦＩＤｎからなる。そして、受光パターンＰＴＭ１〜ＰＴＭｎは、それぞれ、情報ＩＤＩＦＩＤ１，ＩＦＩＤ２，ＩＦＩＤ３，ＩＦＩＤ４，・・・，ＩＦＩＤｎに対応付けられる。
【００５８】
撮影部１１は、関係テーブルＲＬＴを保持しており、ブロックＢ１〜Ｂ３に重なった受光画素ｃＡ，ｃＢ，ｃＥ，ｃＦ，ｃ２，ｃ８，ｃＣが受光パターンを受光すると、受光画素ｃＡ，ｃＢ，ｃＥ，ｃＦ，ｃ２，ｃ８，ｃＣが受光した受光パターンを含む情報ＩＤパターンＰＴＭｊ（＝位置情報パターンＰＴＭ１〜ＰＴＭｎのいずれか）を検出し、関係テーブルＲＬＴを参照して、その検出した情報ＩＤパターンＰＴＭｊに対応する情報ＩＤＩＦＩＤｊを抽出する。そして、撮影部１１は、情報ＩＤＩＦＩＤｊを端末装置１０が配置された位置に関連する情報のＩＤとして検出する。
【００５９】
図９は、表示装置２０が表示する動画の構成を示す図である。動画ＭＧは、たとえば、１４個のフレームＦＲＭ１〜ＦＲＭ１４からなる。そして、１４個のフレームＦＲＭ１〜ＦＲＭ１４の各々は、同じ内容の画像を示す画像データからなる。
【００６０】
上述したパターンＰＴＭ１−１〜ＰＴＭ１−１６は、たとえば、フレームＦＲＭ１〜ＦＲＭ１４の画素ｇ１１に埋め込まれる。より具体的には、パターンＰＴＭ１−１のレベル信号ＬＶ１は、フレームＦＲＭ１の画素ｇ１１に埋め込まれ、パターンＰＴＭ１−１のレベル信号ＬＶ２は、フレームＦＲＭ２の画素ｇ１１に埋め込まれ、以下、同様にして、パターンＰＴＭ１−１のレベル信号ＬＶ１４は、フレームＦＲＭ１４の画素ｇ１１に埋め込まれる。
【００６１】
パターンＰＴＭ１−２〜パターンＰＴＭ１−１６の１４個のレベル信号ＬＶ１〜ＬＶ１４についても、パターンＰＴＭ１−１の１４個のレベル信号ＬＶ１〜ＬＶ１４と同じようにフレームＦＲＭ１〜ＦＲＭ１４の画素ｇ１１に埋め込まれる。これによって、情報ＩＤパターンＰＴＭ１（＝パターンＰＴＭ１−２〜パターンＰＴＭ１−１６）がフレームＦＲＭ１〜ＦＲＭ１４の画素ｇ１１に埋め込まれる。
【００６２】
フレームＦＲＭ１〜ＦＲＭ１４の他の画素についても、同様に、情報ＩＤパターンＰＴＭ２〜ＰＴＭｎが埋め込まれる。
【００６３】
表示装置２０は、１４個のフレームＦＲＭ１〜ＦＲＭ１４を連続的に表示する。この場合、フレームＦＲＭ１〜ＦＲＭ１４の各々は、上述したように、同じ内容の画像を示す画像データからなるので、表示装置２０は、外見上、静止画を表示する。また、１４個のフレームＦＲＭ１〜ＦＲＭ１４は、それぞれ、照度レベルが異なるレベル信号ＬＶ１〜ＬＶ１４を含むので、表示装置２０は、管理サーバ３０から受けた複数のフレームＦＲＭ１〜ＦＲＭ１４に基づいて、外見上、静止画を表示するとともに、照度レベルが異なるレベル信号ＬＶ１〜ＬＶ１４を静止画に重畳して表示する。
【００６４】
そして、端末装置１０の撮影部１１がフレームＦＲＭ１〜ＦＲＭ１４の画素ｇ１１を撮影可能なように、端末装置１０が表示装置２０上に配置されると、撮影部１１は、フレームＦＲＭ１〜ＦＲＭ１４に含まれる１４個の画素ｇ１１を撮影し、その撮影した１４個の画素ｇ１１に含まれる１４個のレベル信号ＬＶ１〜ＬＶ１４を検出する。
【００６５】
そうすると、端末装置１０の撮影部１１は、関係テーブルＲＬＴを参照して、その検出した１４個のＬＶ１〜ＬＶ１４に基づいて、上述した方法によって、情報ＩＤパターンＰＴＭ１を抽出し、その抽出した情報ＩＤパターンＰＴＭ１を端末装置１０が配置された画素の位置に関連する情報のＩＤとして制御部１４へ出力する。
【００６６】
この発明においては、外見上、静止画を構成する動画ＭＧの１４個のフレームＦＲＭ１〜ＦＲＭ１４に、端末装置１０が配置された位置に関連する情報のＩＤを表す１４個のレベル信号ＬＶ１〜ＬＶ１４を埋め込むことを特徴とする。
【００６７】
これによって、画像データを管理する管理サーバ３０は、６０Ｈｚ以上の周波数で光信号を画像データに重畳する特別のデバイスを用いなくても、各画素の位置に関連する情報のＩＤを端末装置１０へ伝達できる。
【００６８】
図１０は、図３に示す記憶部３３が記憶するテーブルを示す図である。図１０を参照して、テーブルＴＢＬは、端末ＩＤと、操作ＩＤと、情報ＩＤと、画像データと、情報とを含む。端末ＩＤ、操作ＩＤ、情報ＩＤ、画像データおよび情報は、相互に対応付けられる。
【００６９】
画像データＭＧ１，ＭＧ２，ＭＧ３，・・・の各々は、１４個のフレームを含む動画からなる。情報ＩＦ１，ＩＦ２，ＩＦ３，・・・の各々は、画像データまたは文字データからなる。
【００７０】
画像データＭＧ１および情報ＩＦ１は、端末ＩＤ＝ＩＭＩＤ１、操作ＩＤ＝ＯＰＩＤ１および情報ＩＤ＝ＩＦＩＤ１の組合せに対応付けられ、画像データＭＧ２および情報ＩＦ２は、端末ＩＤ＝ＩＭＩＤ１、操作ＩＤ＝ＯＰＩＤ２および情報ＩＤ＝ＩＦＩＤ１の組合せに対応付けられ、画像データＭＧ３および情報ＩＦ３は、端末ＩＤ＝ＩＭＩＤ１、操作ＩＤ＝ＯＰＩＤ３１および情報ＩＤ＝ＩＦＩＤ２の組合せに対応付けられ、画像データＭＧ４および情報ＩＦ４は、端末ＩＤ＝ＩＭＩＤ１、操作ＩＤ＝ＯＰＩＤ２および情報ＩＤ＝ＩＦＩＤ２の組合せに対応付けられ、画像データＧ１および情報ＩＦ５は、端末ＩＤ＝ＩＭＩＤ１、操作ＩＤ＝ＯＰＩＤ４および情報ＩＤ＝ＩＦＩＤ３の組合せに対応付けられ、画像データＧ２および情報ＩＦ６は、端末ＩＤ＝ＩＭＩＤ１、操作ＩＤ＝ＯＰＩＤ５および情報ＩＤ＝ＩＦＩＤ４の組合せに対応付けられる。なお、画像データＧ１，Ｇ２は、上述したレベル信号ＬＶ１〜ＬＶ１４が各画素に埋め込まれていない静止画の画像データである。
【００７１】
したがって、テーブルＴＢＬは、端末ＩＤ、操作ＩＤおよび情報ＩＤの組合せに対応付けられた画像データおよび情報を含む。そして、画像データは、表示装置１０に表示するための画像データであり、情報は、端末装置１０に表示するための情報である。
【００７２】
以下、ユーザの端末装置１０が表示装置２０上に配置されたときの配置位置に関連する情報のＩＤを端末装置１０に伝達する具体例について説明する。
【００７３】
図１１は、表示装置２０に表示された画像を示す図である。図１２は、表示装置２０に表示された他の画像を示す図である。図１３は、端末装置１０に表示された画像を示す図である。
【００７４】
表示装置２０は、管理サーバ３０から受信した画像データに基づいて、絵画の動画ＭＧ１を表示する。この場合、動画ＭＧ１は、１４個のフレームＦＲＭ１〜ＦＲＭ１４からなり、各フレームＦＲＭ１〜ＦＲＭ１４は、同じ内容の画像を示し、各フレームＦＲＭ１〜ＦＲＭ１４の各画素には、各画素位置に関連する情報のＩＤが重畳されている。
【００７５】
そして、ユーザは、端末装置１０を動画ＭＧ１の任意の領域ＲＥＧ１に配置する。そうすると、端末装置１０の撮影部１１は、動画ＭＧ１の一部を撮影し、その撮影した動画ＭＧ１の一部に含まれる画素に埋め込まれたレベル信号ＬＶ１〜ＬＶ１４に基づいて、上述した方法によって情報ＩＤパターンを検出し、その検出した情報ＩＤパターンを制御部１４へ出力する。
【００７６】
端末装置１０の制御部１４は、撮影部１１から情報ＩＤパターンを受けると、その受けた情報ＩＤパターンに基づいて、上述した方法によって、端末装置１０が配置された画素の位置に関連する情報の情報ＩＤ（＝ＩＦＩＤ１）を検出する。
【００７７】
また、端末装置１０の制御部１４は、文字入力キーが押されたことを示す操作を操作部１３から受けると、文字入力キーが押されたことを示す操作を識別するための操作ＩＤ（＝ＯＰＩＤ２）を生成する。
【００７８】
そうすると、端末装置１０の制御部１４は、端末装置１０のＩＤである端末ＩＤ（＝ＴＭＩＤ１）と、操作ＩＤ（＝ＯＰＩＤ２）と、情報ＩＤ（＝ＩＦＩＤ１）とからなるメッセージＭＳＧ１＝［ＴＭＩＤ１／ＯＰＩＤ２／ＩＦＩＤ１］を生成し、その生成したメッセージＭＳＧ１＝［ＴＭＩＤ１／ＯＰＩＤ２／ＩＦＩＤ１］を通信部１５へ出力する。
【００７９】
そして、端末装置１０の通信部１５は、制御部１４からメッセージＭＳＧ１＝［ＴＭＩＤ１／ＯＰＩＤ２／ＩＦＩＤ１］を受けると、その受けたメッセージＭＳＧ１＝［ＴＭＩＤ１／ＯＰＩＤ２／ＩＦＩＤ１］を無線ネットワークを介して基地局４０へ送信する。
【００８０】
このように、端末装置１０は、操作部１３が操作されたことに応じて、メッセージＭＳＧ１を生成し、その生成したメッセージＭＳＧ１を管理サーバ３０へ送信する。
【００８１】
基地局４０は、無線ネットワークを介してメッセージＭＳＧ１＝［ＴＭＩＤ１／ＯＰＩＤ２／ＩＦＩＤ１］を端末装置１０から受信し、その受信したメッセージＭＳＧ１＝［ＴＭＩＤ１／ＯＰＩＤ２／ＩＦＩＤ１］をケーブル４２を介して、管理サーバ３０へ送信する。
【００８２】
管理サーバ３０の通信部３１は、メッセージＭＳＧ１＝［ＴＭＩＤ１／ＯＰＩＤ２／ＩＦＩＤ１］を受信し、その受信したメッセージＭＳＧ１＝［ＴＭＩＤ１／ＯＰＩＤ２／ＩＦＩＤ１］を制御部３２へ出力する。
【００８３】
管理サーバ３０の制御部３２は、通信部３１からメッセージＭＳＧ１＝［ＴＭＩＤ１／ＯＰＩＤ２／ＩＦＩＤ１］を受け、その受けたメッセージＭＳＧ１＝［ＴＭＩＤ１／ＯＰＩＤ２／ＩＦＩＤ１］から端末ＩＤ（＝ＴＭＩＤ１）、操作ＩＤ（＝ＯＰＩＤ２）および情報ＩＤ（＝ＩＦＩＤ１）を抽出する。
【００８４】
そうすると、管理サーバ３０の制御部３２は、テーブルＴＢＬを参照して、その抽出した端末ＩＤ（＝ＴＭＩＤ１）、操作ＩＤ（＝ＯＰＩＤ２）および情報ＩＤ（＝ＩＦＩＤ１）の組合せに対応する画像データＭＧ２および情報ＩＦ２を抽出する。
【００８５】
そして、管理サーバ３０の制御部３２は、その抽出した画像データＭＧ２を通信部３１およびケーブル４１を介して表示装置２０へ送信し、その抽出した情報ＩＦ２を通信部３１および無線ネットワークを介して端末装置１０へ送信する。
【００８６】
表示装置２０は、管理サーバ３０から画像データＭＧ２を受信し、その受信した画像データＭＧ２に基づいて、動画ＭＧ２を表示する。この場合、端末装置１０の配置位置は、変わらない（図１２参照）。
【００８７】
また、端末装置１０は、管理サーバ３０から情報ＩＦ２を受信し、その受信した情報ＩＦ２に基づいて、動画ＭＧ１のうち、自己が配置された位置の拡大画像を表示する（図１３参照）。
【００８８】
図１４は、端末装置１０に対する異なる操作を説明するための図である。図１５は、表示装置２０に表示されたさらに他の画像を示す図である。図１６は、端末装置１０に表示されたメッセージを示す図である。
【００８９】
図１４を参照して、表示装置２０は、管理サーバ３０から受信した画像データに基づいて、図１１に示すように絵画の動画ＭＧ１を表示する。このような状況において、ユーザは、端末装置１０を表示装置２０上で領域ＲＥＧ１から領域ＲＥＧ２へ移動させる。
【００９０】
そうすると、端末装置１０の加速度センサ１２は、加速度αを計測し、その計測した加速度αを制御部１４へ出力する。そして、端末装置１０の制御部１４は、加速度センサ１２から受けた加速度αに基づいて、端末装置１０が移動したことを検知し、端末装置１０に対して「移動」という操作が成されたことを示す操作ＩＤ（＝ＯＰＩＤ３）を生成する。
【００９１】
また、端末装置１０の撮影部１１は、領域ＲＥＧ２において、動画ＭＧ１の一部を撮影し、その撮影した動画ＭＧ１の一部に含まれる画素に埋め込まれたレベル信号ＬＶ１〜ＬＶ１４に基づいて、上述した方法によって情報ＩＤパターンを検出し、その検出した情報ＩＤパターンを制御部１４へ出力する。
【００９２】
端末装置１０の制御部１４は、撮影部１１から情報ＩＤパターンを受けると、その受けた情報ＩＤパターンに基づいて、上述した方法によって、端末装置１０が配置された画素の位置に関連する情報の情報ＩＤ（＝ＩＦＩＤ２）を検出する。
【００９３】
そうすると、端末装置１０の制御部１４は、端末装置１０のＩＤである端末ＩＤ（＝ＴＭＩＤ１）と、操作ＩＤ（＝ＯＰＩＤ３）と、情報ＩＤ（＝ＩＦＩＤ３）とからなるメッセージＭＳＧ２＝［ＴＭＩＤ１／ＯＰＩＤ３／ＩＦＩＤ２］を生成し、その生成したメッセージＭＳＧ２＝［ＴＭＩＤ１／ＯＰＩＤ３／ＩＦＩＤ２］を通信部１５へ出力する。
【００９４】
そして、端末装置１０の通信部１５は、制御部１４からメッセージＭＳＧ２＝［ＴＭＩＤ１／ＯＰＩＤ３／ＩＦＩＤ２］を受けると、その受けたメッセージＭＳＧ２＝［ＴＭＩＤ１／ＯＰＩＤ３／ＩＦＩＤ２］を無線ネットワークを介して基地局４０へ送信する。
【００９５】
このように、端末装置１０は、自己が操作されたことに応じて、メッセージＭＳＧ２を生成し、その生成したメッセージＭＳＧ２を管理サーバ３０へ送信する。
【００９６】
基地局４０は、無線ネットワークを介してメッセージＭＳＧ２＝［ＴＭＩＤ１／ＯＰＩＤ３／ＩＦＩＤ２］を端末装置１０から受信し、その受信したメッセージＭＳＧ２＝［ＴＭＩＤ１／ＯＰＩＤ３／ＩＦＩＤ２］をケーブル４２を介して、管理サーバ３０へ送信する。
【００９７】
管理サーバ３０の通信部３１は、メッセージＭＳＧ２＝［ＴＭＩＤ１／ＯＰＩＤ３／ＩＦＩＤ２］を受信し、その受信したメッセージＭＳＧ２＝［ＴＭＩＤ１／ＯＰＩＤ３／ＩＦＩＤ２］を制御部３２へ出力する。
【００９８】
管理サーバ３０の制御部３２は、通信部３１からメッセージＭＳＧ２＝［ＴＭＩＤ１／ＯＰＩＤ３／ＩＦＩＤ２］を受け、その受けたメッセージＭＳＧ２＝［ＴＭＩＤ１／ＯＰＩＤ３／ＩＦＩＤ２］から端末ＩＤ（＝ＴＭＩＤ１）、操作ＩＤ（＝ＯＰＩＤ３）および情報ＩＤ（＝ＩＦＩＤ２）を抽出する。
【００９９】
そうすると、管理サーバ３０の制御部３２は、テーブルＴＢＬを参照して、その抽出した端末ＩＤ（＝ＴＭＩＤ１）、操作ＩＤ（＝ＯＰＩＤ３）および情報ＩＤ（＝ＩＦＩＤ２）の組合せに対応する画像データＭＧ３および情報ＩＦ３を抽出する。
【０１００】
そして、管理サーバ３０の制御部３２は、その抽出した画像データＭＧ３を通信部３１およびケーブル４１を介して表示装置２０へ送信し、その抽出した情報ＩＦ３を通信部３１および無線ネットワークを介して端末装置１０へ送信する。
【０１０１】
表示装置２０は、管理サーバ３０から画像データＭＧ３を受信し、その受信した画像データＭＧ３に基づいて、動画ＭＧ３を表示する。この場合、端末装置１０の配置位置は、変わらない（図１５参照）。
【０１０２】
また、端末装置１０は、管理サーバ３０から情報ＩＦ３を受信し、その受信した情報ＩＦ３に基づいて、「別の種類の画像が表示装置２０に表示された」ことを示すメッセージを表示する（図１６参照）。
【０１０３】
この場合、図１５に示す動画ＭＧ３は、世界地図を示す画像であり、元来、表示装置２０に表示されていた絵画の画像とは異なるものである。したがって、この発明においては、端末装置１０に対して「移動」という操作が成された場合、その「移動」という操作に応じて、表示装置２０に表示する画像の種類を切換えることにしたものである。
【０１０４】
上述したように、表示装置２０上に配置された端末装置１０に対して、ユーザが文字入力キーを押すという操作を行なうと、端末装置１０は、自己が配置された位置に関連する情報の情報ＩＤと、自己に対して成された操作を識別するための操作ＩＤ（＝ＯＰＩＤ２）と、自己を識別するための端末ＩＤとを管理サーバ３０へ送信し、管理サーバ３０は、端末装置１０から受信した情報ＩＤ、操作ＩＤおよび端末ＩＤの組合せに応じて、表示装置２０の表示内容を動画ＭＧ１から動画ＭＧ２に更新し、端末装置１０に動画ＭＧ１の一部の拡大画像を表示した。
【０１０５】
また、表示装置２０上に配置された端末装置１０に対して、ユーザが端末装置１０を移動させるという操作を行なうと、端末装置１０は、自己が配置された位置に関連する情報の情報ＩＤと、自己に対して成された操作を識別するための操作ＩＤ（＝ＯＰＩＤ３）と、自己を識別するための端末ＩＤとを管理サーバ３０へ送信し、管理サーバ３０は、端末装置１０から受信した情報ＩＤ、操作ＩＤおよび端末ＩＤの組合せに応じて、表示装置２０の表示内容を動画ＭＧ１から動画ＭＧ３に更新し、表示装置２０に表示する画像の種類が切換えられたことを示すメッセージを端末装置１０に表示した。
【０１０６】
つまり、この発明においては、端末装置１０を表示装置２０上におけるマウスとして機能させ、マウスである端末装置１０に対して、何らかの操作を行なうと、管理サーバ３０は、端末装置１０に対して成された操作に対する応答を端末装置１０および表示装置２０に送信する。
【０１０７】
この場合、管理サーバ３０は、端末装置１０に対して成された操作に対する応答を端末装置１０および表示装置２０の両方に送信しなくてもよく、端末装置１０に対して成された操作に対する応答を端末装置１０および表示装置２０の少なくとも一方に送信すればよい。
【０１０８】
図１７は、端末装置１０に対する更に異なる操作を説明するための図である。図１７を参照して、表示装置２０は、管理サーバ３０から受信した画像データに基づいて、世界地図の動画ＭＧ３を表示する。この場合、動画ＭＧ３は、１４個のフレームＦＲＭ１〜ＦＲＭ１４からなり、各フレームＦＲＭ１〜ＦＲＭ１４は、同じ内容の画像を示し、各フレームＦＲＭ１〜ＦＲＭ１４の各画素には、各画素位置に関連する情報のＩＤが重畳されている。
【０１０９】
そして、ユーザは、端末装置１０を動画ＭＧ３の任意の領域ＲＥＧ３に配置する。そうすると、端末装置１０の撮影部１１は、動画ＭＧ３の一部を撮影し、その撮影した動画ＭＧ３の一部に含まれる画素に埋め込まれたレベル信号ＬＶ１〜ＬＶ１４に基づいて、上述した方法によって情報ＩＤパターンを検出し、その検出した情報ＩＤパターンを制御部１４へ出力する。
【０１１０】
端末装置１０の制御部１４は、撮影部１１から情報ＩＤパターンを受けると、その受けた情報ＩＤパターンに基づいて、上述した方法によって、端末装置１０が配置された画素の位置に関連する情報の情報ＩＤ（＝ＩＦＩＤ３）を検出する。
【０１１１】
また、端末装置１０の制御部１４は、文字入力キーが２回押されたことを示す操作を操作部１３から受けると、文字入力キーが２回押されたことを示す操作を識別するための操作ＩＤ（＝ＯＰＩＤ４）を生成する。
【０１１２】
そうすると、端末装置１０の制御部１４は、端末装置１０のＩＤである端末ＩＤ（＝ＴＭＩＤ１）と、操作ＩＤ（＝ＯＰＩＤ４）と、情報ＩＤ（＝ＩＦＩＤ３）とからなるメッセージＭＳＧ３＝［ＴＭＩＤ１／ＯＰＩＤ４／ＩＦＩＤ３］を生成し、その生成したメッセージＭＳＧ３＝［ＴＭＩＤ１／ＯＰＩＤ４／ＩＦＩＤ３］を通信部１５へ出力する。
【０１１３】
そして、端末装置１０の通信部１５は、制御部１４からメッセージＭＳＧ３＝［ＴＭＩＤ１／ＯＰＩＤ４／ＩＦＩＤ３］を受けると、その受けたメッセージＭＳＧ３＝［ＴＭＩＤ１／ＯＰＩＤ４／ＩＦＩＤ３］を無線ネットワークを介して基地局４０へ送信する。
【０１１４】
基地局４０は、無線ネットワークを介してメッセージＭＳＧ３＝［ＴＭＩＤ１／ＯＰＩＤ４／ＩＦＩＤ３］を端末装置１０から受信し、その受信したメッセージＭＳＧ３＝［ＴＭＩＤ１／ＯＰＩＤ４／ＩＦＩＤ３］をケーブル４２を介して、管理サーバ３０へ送信する。
【０１１５】
このように、端末装置１０は、操作部１３が操作されたことに応じて、メッセージＭＳＧ３を生成し、その生成したメッセージＭＳＧ３を基地局４０を介して管理サーバ３０へ送信する。
【０１１６】
管理サーバ３０の通信部３１は、メッセージＭＳＧ３＝［ＴＭＩＤ１／ＯＰＩＤ４／ＩＦＩＤ３］を受信し、その受信したメッセージＭＳＧ３＝［ＴＭＩＤ１／ＯＰＩＤ４／ＩＦＩＤ３］を制御部３２へ出力する。
【０１１７】
管理サーバ３０の制御部３２は、通信部３１からメッセージＭＳＧ３＝［ＴＭＩＤ１／ＯＰＩＤ４／ＩＦＩＤ３］を受け、その受けたメッセージＭＳＧ３＝［ＴＭＩＤ１／ＯＰＩＤ４／ＩＦＩＤ３］から端末ＩＤ（＝ＴＭＩＤ１）、操作ＩＤ（＝ＯＰＩＤ４）および情報ＩＤ（＝ＩＦＩＤ３）を抽出する。
【０１１８】
そうすると、管理サーバ３０の制御部３２は、テーブルＴＢＬを参照して、その抽出した端末ＩＤ（＝ＴＭＩＤ１）、操作ＩＤ（＝ＯＰＩＤ４）および情報ＩＤ（＝ＩＦＩＤ３）の組合せに対応する画像データＧ１および情報ＩＦ５を抽出する。
【０１１９】
そして、管理サーバ３０の制御部３２は、その抽出した画像データＧ１および情報ＩＦ５を通信部３１およびケーブル４２を介して基地局４０へ送信し、基地局４０は、画像データＧ１および情報ＩＦ５を無線ネットワークを介して端末装置１０へ送信する。
【０１２０】
このように、管理サーバ３０は、端末装置１０の文字入力キーが２回押された操作を示す操作ＩＤ＝ＯＰＩＤ４に応じて、画像データＧ１および情報ＩＦ５の両方を端末装置１０へ送信する。
【０１２１】
端末装置１０の通信部１５は、無線ネットワークを介して画像データＧ１および情報ＩＦ５を受信し、その受信した画像データＧ１および情報ＩＦ５を制御部１４へ出力する。そして、端末装置１０の制御部１４は、通信部１５から受けた画像データＧ１および情報ＩＦ５に基づいて、名所の画像Ｇ１および名所の説明文ＩＦ５を表示部１６に表示する。
【０１２２】
これによって、ユーザは、端末装置１０を配置した位置に関連する名所を学習できる。
【０１２３】
その後、ユーザは、端末装置１０を動画ＭＧ３上の領域ＲＥＧ３から領域ＲＥＧ４へ移動させ、文字入力キーを２回押す。
【０１２４】
そうすると、端末装置１０の加速度センサ１２は、加速度αを計測し、その計測した加速度αを制御部１４へ出力する。そして、端末装置１０の制御部１４は、加速度センサ１２から受けた加速度αを受けるとともに、文字入力キーが２回押されたことを示す操作を操作部１３から受け、その受けた加速度αおよび文字入力キーが２回押されたことを示す操作に基づいて、端末装置１０が移動した後に文字入力キーが２回押されたことを検知し、端末装置１０に対して「移動および文字入力キーの操作」という操作が成されたことを示す操作ＩＤ（＝ＯＰＩＤ５）を生成する。
【０１２５】
また、端末装置１０の撮影部１１は、領域ＲＥＧ４において、動画ＭＧ３の一部を撮影し、その撮影した動画ＭＧ３の一部に含まれる画素に埋め込まれたレベル信号ＬＶ１〜ＬＶ１４に基づいて、上述した方法によって情報ＩＤパターンを検出し、その検出した情報ＩＤパターンを制御部１４へ出力する。
【０１２６】
端末装置１０の制御部１４は、撮影部１１から情報ＩＤパターンを受けると、その受けた情報ＩＤパターンに基づいて、上述した方法によって、端末装置１０が配置された画素の位置に関連する情報の情報ＩＤ（＝ＩＦＩＤ４）を検出する。
【０１２７】
そうすると、端末装置１０の制御部１４は、端末装置１０のＩＤである端末ＩＤ（＝ＴＭＩＤ１）と、操作ＩＤ（＝ＯＰＩＤ５）と、情報ＩＤ（＝ＩＦＩＤ４）とからなるメッセージＭＳＧ４＝［ＴＭＩＤ１／ＯＰＩＤ５／ＩＦＩＤ４］を生成し、その生成したメッセージＭＳＧ４＝［ＴＭＩＤ１／ＯＰＩＤ５／ＩＦＩＤ４］を通信部１５へ出力する。
【０１２８】
そして、端末装置１０の通信部１５は、制御部１４からメッセージＭＳＧ４＝［ＴＭＩＤ１／ＯＰＩＤ５／ＩＦＩＤ４］を受けると、その受けたメッセージＭＳＧ４＝［ＴＭＩＤ１／ＯＰＩＤ５／ＩＦＩＤ４］を無線ネットワークを介して基地局４０へ送信する。
【０１２９】
基地局４０は、無線ネットワークを介してメッセージＭＳＧ４＝［ＴＭＩＤ１／ＯＰＩＤ５／ＩＦＩＤ４］を端末装置１０から受信し、その受信したメッセージＭＳＧ４＝［ＴＭＩＤ１／ＯＰＩＤ５／ＩＦＩＤ４］をケーブル４２を介して、管理サーバ３０へ送信する。
【０１３０】
このように、端末装置１０は、自己が移動および操作されたことに応じて、メッセージＭＳＧ４を生成し、その生成したメッセージＭＳＧ４を管理サーバ３０へ送信する。
【０１３１】
管理サーバ３０の通信部３１は、メッセージＭＳＧ４＝［ＴＭＩＤ１／ＯＰＩＤ５／ＩＦＩＤ４］を受信し、その受信したメッセージＭＳＧ４＝［ＴＭＩＤ１／ＯＰＩＤ５／ＩＦＩＤ４］を制御部３２へ出力する。
【０１３２】
管理サーバ３０の制御部３２は、通信部３１からメッセージＭＳＧ４＝［ＴＭＩＤ１／ＯＰＩＤ５／ＩＦＩＤ４］を受け、その受けたメッセージＭＳＧ４＝［ＴＭＩＤ１／ＯＰＩＤ５／ＩＦＩＤ４］から端末ＩＤ（＝ＴＭＩＤ１）、操作ＩＤ（＝ＯＰＩＤ５）および情報ＩＤ（＝ＩＦＩＤ４）を抽出する。
【０１３３】
そうすると、管理サーバ３０の制御部３２は、テーブルＴＢＬを参照して、その抽出した端末ＩＤ（＝ＴＭＩＤ１）、操作ＩＤ（＝ＯＰＩＤ５）および情報ＩＤ（＝ＩＦＩＤ４）の組合せに対応する画像データＧ２および情報ＩＦ６を抽出する。
【０１３４】
そして、管理サーバ３０の制御部３２は、その抽出した画像データＧ２および情報ＩＦ６を通信部３１およびケーブル４２を介して基地局４０へ送信し、基地局４０は、画像データＧ２および情報ＩＦ６を無線ネットワークを介して端末装置１０へ送信する。
【０１３５】
このように、管理サーバ３０は、端末装置１０の文字入力キーが２回押されたことを示す操作ＩＤ＝ＯＰＩＤ５に応じて、画像データＧ２および情報ＩＦ６の両方を端末装置１０へ送信する。
【０１３６】
端末装置１０の通信部１５は、無線ネットワークを介して画像データＧ２および情報ＩＦ６を受信し、その受信した画像データＧ２および情報ＩＦ６を制御部１４へ出力する。そして、端末装置１０の制御部１４は、通信部１５から受けた画像データＧ２および情報ＩＦ６に基づいて、パンダの画像Ｇ２およびパンダの説明文ＩＦ６を表示部１６に表示する。
【０１３７】
これによって、ユーザは、端末装置１０を配置した位置に関連する情報を学習できる。
【０１３８】
上述したように、通信システム１００を用いれば、ユーザは、端末装置１０を用いて世界の各地の名所等について学習できる。
【０１３９】
図１８は、この発明の実施の形態による他の通信システムの構成を示す概略図である。この発明による通信システムは、図１８に示す通信システム１００Ａであってもよい。図１８を参照して、通信システム１００Ａは、図１に示す通信システム１００の管理サーバ３０を管理サーバ３０Ａに代えたものであり、その他は、通信システム１００と同じである。
【０１４０】
管理サーバ３０Ａは、各画素に情報ＩＤが埋め込まれた複数のフレームからなる動画の表示の際に、１つのフレームの表示が開始されてから指定された時間が経過し、かつ、当該フレームの表示が完了しているときに、次のフレームの表示を開始することによって複数のフレームの全てからなる動画を表示装置２０に表示する。
【０１４１】
通常、動画を表示する表示用プログラムは、動画を実時間に沿って表示するために、１つのフレームの表示が開始されてから指定された時間が経過し、かつ、当該フレームの表示が完了しているときに、先のフレームの表示開始後、既に経過した時間内に表示するように割り当てられていたフレームの表示を中止して、当該時点に割り当てられているフレームを選択し、その選択したフレームの表示を開始することによって、予め準備された複数のフレームのうち、時間内に表示できたフレームだけからなる動画を表示装置２０に表示する。
【０１４２】
その結果、レベル信号ＬＶ１〜ＬＶ１４の全てを表示装置２０に伝達できず、端末装置１０は、レベル信号ＬＶ１〜ＬＶ１４の全てを検出できず、情報ＩＤを正しく取得することができない。
【０１４３】
そこで、この発明においては、各画素に情報ＩＤが埋め込まれた複数のフレームからなる動画の表示の際に、１つのフレームの表示が開始されてから指定された時間が経過し、かつ、当該フレームの表示が完了しているときに、次のフレームの表示を開始することによって複数のフレームの全てからなる動画を表示装置２０に表示することにしたものである。
【０１４４】
図１９は、図１８に示す管理サーバ３０Ａの構成を示す概略ブロック図である。図１９を参照して、管理サーバ３０Ａは、図３に示す管理サーバ３０の制御部３２を制御部３２Ａに代えたものであり、その他は、管理サーバ３０と同じである。
【０１４５】
制御部３２Ａは、各画素に情報ＩＤが埋め込まれた複数のフレームからなる動画を表示装置２０に表示する際に、１つのフレームの表示が開始されてから指定された時間が経過し、かつ、当該フレームの表示が完了しているときに、次のフレームの表示を開始することによって複数のフレームの全てからなる動画を表示装置２０に表示するように、記憶部３３に記憶された動画を読み出し、その読み出した動画を構成する複数のフレームを通信部３１およびケーブル４１を介して表示装置２０へ送信する。制御部３２Ａは、その他、制御部３２と同じ機能を果たす。
【０１４６】
図２０は、図１８に示す通信システム１００Ａにおいて用いられる基本レベル信号を示す図である。図２０を参照して、基本レベル信号ＢＬＶ１〜ＢＬＶ３が通信システム１００Ａにおいて用いられる。
【０１４７】
基本レベル信号ＢＬＶ１は、「強」の照度レベルを有し、基本レベル信号ＢＬＶ２は、「中」の照度レベルを有し、基本レベル信号ＢＬＶ３は、「弱」の照度レベルを有する。
【０１４８】
図２１は、図２０に示す基本レベル信号を用いた２値情報の表現方法を示す図である。図２１を参照して、プリアンブルは、３個の基本レベル信号ＢＬＶ１と、２個の基本レベル信号ＢＬＶ３とからなる。そして、３個の基本レベル信号ＢＬＶ１および２個の基本レベル信号ＢＬＶ３は、基本レベル信号ＢＬＶ１と基本レベル信号ＢＬＶ３とが交互になるように配列される（図２１の（ａ）参照）。
【０１４９】
また、“０”は、１個の基本レベル信号ＢＬＶ２と１個の基本レベル信号ＢＬＶ３とからなる。そして、１個の基本レベル信号ＢＬＶ２および１個の基本レベル信号ＢＬＶ３は、基本レベル信号ＢＬＶ３が基本レベル信号ＢＬＶ２の次に位置するように配列される（図２１の（ｂ）参照）。
【０１５０】
さらに、“１”は、１個の基本レベル信号ＢＬＶ２と１個の基本レベル信号ＢＬＶ１とからなる。そして、１個の基本レベル信号ＢＬＶ２および１個の基本レベル信号ＢＬＶ１は、基本レベル信号ＢＬＶ１が基本レベル信号ＢＬＶ２の次に位置するように配列される（図２１の（ｃ）参照）。
【０１５１】
さらに、“２”は、１個の基本レベル信号ＢＬＶ２と、１個の基本レベル信号ＢＬＶ３と、１個の基本レベル信号ＢＬＶ１とからなる。そして、１個の基本レベル信号ＢＬＶ２、１個の基本レベル信号ＢＬＶ３、および１個の基本レベル信号ＢＬＶ１は、基本レベル信号ＢＬＶ２、基本レベル信号ＢＬＶ３、および基本レベル信号ＢＬＶ１の順に配列される（図２１の（ｄ）参照）。
【０１５２】
さらに、“３”は、１個の基本レベル信号ＢＬＶ２と、１個の基本レベル信号ＢＬＶ１と、１個の基本レベル信号ＢＬＶ３とからなる。そして、１個の基本レベル信号ＢＬＶ２、１個の基本レベル信号ＢＬＶ１、および１個の基本レベル信号ＢＬＶ３は、基本レベル信号ＢＬＶ２、基本レベル信号ＢＬＶ１、および基本レベル信号ＢＬＶ３の順に配列される（図２１の（ｅ）参照）。
【０１５３】
図２２は、図１８に示す通信システム１００Ａにおいて用いられる埋め込み情報の例を示す図である。図２２を参照して、格画素に情報ＩＤが埋め込まれた複数のフレームからなる動画が生成され、管理サーバ３０Ａの記憶部３３に記憶されている。管理サーバ３０Ａは、その動画の表示の際に、１つのフレームの表示が開始されてから指定された時間が経過し、かつ、当該フレームの表示が完了しているときに、次のフレームの表示を開始することによって複数のフレームの全てからなる動画を表示装置２０に表示する。
【０１５４】
そして、基本レベル信号ＢＬＶ１、基本レベル信号ＢＬＶ３、基本レベル信号ＢＬＶ１、基本レベル信号ＢＬＶ３、基本レベル信号ＢＬＶ１、基本レベル信号ＢＬＶ２、基本レベル信号ＢＬＶ３、基本レベル信号ＢＬＶ２、基本レベル信号ＢＬＶ１、基本レベル信号ＢＬＶ２、基本レベル信号ＢＬＶ３、基本レベル信号ＢＬＶ１、基本レベル信号ＢＬＶ２、基本レベル信号ＢＬＶ１、および基本レベル信号ＢＬＶ３は、それぞれ、複数のフレーム（＝１５枚のフレーム）に埋め込まれている。
【０１５５】
端末装置１０は、自己が配置された表示装置２０上の位置において動画を撮影し、その撮影した動画を構成する複数のフレームに埋め込まれた基本レベル信号ＢＬＶ１、基本レベル信号ＢＬＶ３、基本レベル信号ＢＬＶ１、基本レベル信号ＢＬＶ３、基本レベル信号ＢＬＶ１、基本レベル信号ＢＬＶ２、基本レベル信号ＢＬＶ３、基本レベル信号ＢＬＶ２、基本レベル信号ＢＬＶ１、基本レベル信号ＢＬＶ２、基本レベル信号ＢＬＶ３、基本レベル信号ＢＬＶ１、基本レベル信号ＢＬＶ２、基本レベル信号ＢＬＶ１、および基本レベル信号ＢＬＶ３を検出する。そして、端末装置１０は、“プリアンブル”、“０”、“１”、“２”および“３”を検出する（図２２の（ａ）参照）。
【０１５６】
また、図２２の（ｂ）は、管理サーバ３０Ａの処理性能が相対的に低く、１つ１つのフレームの表示に要する時間が長くなっている場合の時間経過と情報を埋め込むための基本レベル信号の遷移を示す図である。
【０１５７】
図２２の（ｂ）に示す場合は、図２２の（ａ）と同一の情報を埋め込んでいるが、基本レベル信号ＢＬＶ１〜ＢＬＶ３の時間の幅が図２２の（ａ）に示す場合よりも広くなっている。
【０１５８】
図１８に示す通信システム１００Ａにおいては、上述した情報ＩＤは、図２２に示す方法によって複数のフレームの各画素に埋め込まれる。
【０１５９】
上述したように、図１８に示す通信システム１００Ａにおいては、管理サーバ３０Ａは、動画の表示の際に、１つのフレームの表示が開始されてから指定された時間が経過し、かつ、当該フレームの表示が完了しているときに、次のフレームの表示を開始することによって複数のフレームの全てからなる動画を表示装置２０に表示する。その結果、管理サーバ３０Ａは、欠落を防止して複数のフレームの全てを表示装置２０に表示する。
【０１６０】
したがって、この発明によれば、処理の負荷が変化する場合でも、情報ＩＤを端末装置１０に正確に伝達できる。
【０１６１】
この発明によれば、複数のレベル信号ＬＶ１〜ＬＶ１４が動画を構成する複数のフレームＦＲＭ１〜ＦＲＭ１４にそれぞれ埋め込まれる。そして、複数のフレームＦＲＭ１〜ＦＲＭ１４の各々は、同じ内容の画像を表示し、表示装置２０は、複数のフレームＦＲＭ１〜ＦＲＭ１４を連続的に表示し、端末装置１０は、その連続的に表示された複数のフレームＦＲＭ１〜ＦＲＭ１４を撮影する。その結果、端末装置１０は、撮影した複数のフレームＦＲＭ１〜ＦＲＭ１４に埋め込まれた複数のレベル信号ＬＶ１〜ＬＶ１４を取得する。
【０１６２】
したがって、この発明によれば、従来の表示システムをそのまま用いて埋め込み情報（＝レベル信号ＬＶ１〜ＬＶ１４）を端末装置１０へ伝達できる。
【０１６３】
また、この発明によれば、管理サーバ３０Ａは、動画の表示の際に、１つのフレームの表示が開始されてから指定された時間が経過し、かつ、当該フレームの表示が完了しているときに、次のフレームの表示を開始することによって複数のフレームの全てからなる動画を表示装置２０に表示するので、欠落を防止して複数のフレームの全てを表示装置２０に表示する。
【０１６４】
したがって、この発明によれば、処理の負荷が変化する場合でも、情報ＩＤを端末装置１０に正確に伝達できる。
【０１６５】
さらに、この発明によれば、管理サーバ３０，３０Ａは、端末装置１０に対する操作に応じて、端末装置１０が配置された画素の位置に関連する情報を表示装置２０および／または端末装置１０に表示する。
【０１６６】
したがって、この発明によれば、端末装置１０をマウスと同じように用いて各種の情報を取得できる。
【０１６７】
この発明においては、レベル信号ＬＶ１〜ＬＶ１４は、「複数の照度信号」を構成する。
【０１６８】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【０１６９】
この発明は、従来の表示システムをそのまま用いて埋め込み情報を伝達可能な通信システムに適用される。
【図面の簡単な説明】
【０１７０】
【図１】この発明の実施の形態による通信システムの構成を示す概略図である。
【図２】図１に示す端末信装置の構成を示す概略ブロック図である。
【図３】図１に示す管理サーバの構成を示す概略ブロック図である。
【図４】撮影部における受光画素を示す平面図である。
【図５】表示装置によって表示された画像の１つの画素を示す平面図である。
【図６】図４に示す各受光画素における受光レベルの遷移を示す図である。
【図７】１つの画素と受光画素との関係を示す平面図である。
【図８】受光パターンと情報ＩＤとの関係を示す関係テーブルの概念図である。
【図９】表示装置が表示する動画の構成を示す図である。
【図１０】図３に示す記憶部が記憶するテーブルを示す図である。
【図１１】表示装置に表示された画像を示す図である。
【図１２】表示装置に表示された他の画像を示す図である。
【図１３】端末装置に表示された画像を示す図である。
【図１４】端末装置に対する異なる操作を説明するための図である。
【図１５】表示装置に表示されたさらに他の画像を示す図である。
【図１６】端末装置に表示されたメッセージを示す図である。
【図１７】端末装置に対する更に異なる操作を説明するための図である。
【図１８】この発明の実施の形態による他の通信システムの構成を示す概略図である。
【図１９】図１８に示す管理サーバの構成を示す概略ブロック図である。
【図２０】図１８に示す通信システムにおいて用いられる基本レベル信号を示す図である。
【図２１】図２０に示す基本レベル信号を用いた２値情報の表現方法を示す図である。
【図２２】図１８に示す通信システムにおいて用いられる埋め込み情報の例を示す図である。
【符号の説明】
【０１７１】
１０  端末装置、１１  撮影部、１２  加速度センサ、１３  操作部、１４，３２  制御部、１５，３１  通信部、１６  表示部、２０  表示装置、３０  管理サーバ、３３  記憶部、４０  基地局、４１，４２  ケーブル、１００  通信システム。
【図１】
2009164856.tif 000003
【図２】
2009164856.tif 000004
【図３】
2009164856.tif 000005
【図４】
2009164856.tif 000006
【図５】
2009164856.tif 000007
【図６】
2009164856.tif 000008
【図７】
2009164856.tif 000009
【図８】
2009164856.tif 000010
【図９】
2009164856.tif 000011
【図１０】
2009164856.tif 000012
【図１１】
2009164856.tif 000013
【図１２】
2009164856.tif 000014
【図１３】
2009164856.tif 000015
【図１４】
2009164856.tif 000016
【図１５】
2009164856.tif 000017
【図１６】
2009164856.tif 000018
【図１７】
2009164856.tif 000019
【図１８】
2009164856.tif 000020
【図１９】
2009164856.tif 000021
【図２０】
2009164856.tif 000022
【図２１】
2009164856.tif 000023
【図２２】
2009164856.tif 000024